(57)【要約】【課題】障害の復旧に際し、保守者の判断にもとづく柔軟で円滑な対応が可能としながらも、利便性に優れた電子機器の管理を可能とする。【解決手段】  保守者端末４は、電子機器３における障害の内容が示されたエラーコードを受信した後において、復旧処理の種別ごとに割り当てられた対処コードのうち、任意に入力された対処コードを管理サーバー２に送信する対処コード送信手段４０２を備え、管理サーバー２は、対処コードと当該対処コードに係る復旧処理を命令するための障害パラメータとを対応付けて保存する対処コード保存手段２０３と、保守者端末４から受信した対処コードに対応した障害パラメータを前記障害が検知された電子機器３に送信する障害パラメータ送信手段２０４と、を備え、電子機器３は、管理サーバー２から受信した障害パラメータにもとづいて障害の復旧処理を行う自動復旧手段３０３を備えた構成とする。【選択図】図１
2014081794.tif 000002
【特許請求の範囲】
【請求項１】
対象の電子機器及び当該電子機器の保守者端末が管理サーバーと通信可能に接続された電子機器管理システムであって、
前記保守者端末は、
前記電子機器における障害の内容が示されたエラーコードを受信した後において、復旧処理の種別ごとに割り当てられた対処コードのうち、任意に入力された対処コードを前記管理サーバーに送信する対処コード送信手段を備え、
前記管理サーバーは、
前記対処コードと当該対処コードに係る復旧処理を命令するための障害パラメータとを対応付けて保存する対処コード保存手段と、
前記保守者端末から受信した対処コードに対応した障害パラメータを、前記障害が検知された電子機器に送信する障害パラメータ送信手段と、を備え、
前記電子機器は、
前記管理サーバーから受信した障害パラメータにもとづいて障害の復旧処理を行う自動復旧手段を備えた
ことを特徴とする電子機器管理システム。
【請求項２】
前記電子機器は、
当該電子機器における障害を検知する障害検知手段と、
検知した障害の内容を示すエラーコードとその電子機器の識別情報を前記管理サーバーに送信するエラーコード送信手段と、を備え、
前記管理サーバーは、
前記電子機器の識別情報と前記保守者端末の宛先を電子機器ごとに紐付けて保存する保守者宛先保存手段と、
前記電子機器から受信した当該電子機器の識別情報にもとづき、当該識別情報に紐付けられた宛先の保守者端末に、その識別情報とともに受信したエラーコードを送信するエラーコード転送手段と、を備え、
前記保守者端末は、
前記管理サーバーから受信したエラーコードを表示するエラーコード表示手段を備える
ことを特徴とする請求項１記載の電子機器管理システム。
【請求項３】
前記管理サーバーの前記障害パラメータ送信手段は、
前記保守者端末から受信した対処コードに対応する障害パラメータを取り出し、前記対処コードとともに前記障害が検知された電子機器に送信し、
前記電子機器は、
受信した対処コードにもとづくログ情報を閲覧可能に保存するログ保存手段を備えた
ことを特徴とする請求項１記載の電子機器管理システム。
【請求項４】
対象の電子機器及び当該電子機器の保守者端末と通信可能に接続された管理サーバーであって、
復旧処理の種別ごとに割り当てた対処コードと当該対処コードに係る復旧処理を命令するための障害パラメータとを対応付けて保存する対処コード保存手段と、
前記電子機器における障害の内容が示されたエラーコードを前記保守者端末が受信した後において、前記保守者端末から受信した対処コードに対応した障害パラメータを前記障害が検知された電子機器に送信して、当該電子機器における障害を復旧させる障害パラメータ送信手段と、を備えた
ことを特徴とする管理サーバー。
【請求項５】
対象の電子機器及び当該電子機器の保守者端末が管理サーバーと通信可能に接続された場合における前記電子機器のエラー復旧方法であって、
前記保守者端末が、前記電子機器における障害の内容が示されたエラーコードを受信した後において、復旧処理の種別ごとに割り当てられた対処コードのうち、任意に入力された対処コードを前記管理サーバーに送信する対処コード送信工程と、
前記管理サーバーが、前記保守者端末から受信した対処コードに対応した障害パラメータを、前記障害が検知された電子機器に送信する障害パラメータ送信工程と、
少なくとも、前記障害パラメータ送信工程の前に、前記管理サーバーが、前記対処コードと当該対処コードに係る復旧処理を命令するための障害パラメータとを対応付けて保存する対処コード保存工程と、
前記電子機器が、前記管理サーバーから受信した障害パラメータにもとづいて障害の復旧処理を行う自動復旧工程と、を有する
ことを特徴とするエラー復旧方法。
【発明の詳細な説明】
【技術分野】
【０００１】
本発明は、管理対象の電子機器の障害を復旧させることを可能とする電子機器管理システム、管理サーバー、及び、エラー復旧方法に関し、より詳しくは、保守者の判断を反映しつつ電子機器の障害を円滑に復旧させることが可能な電子機器管理システム、管理サーバー、及び、エラー復旧方法に関する。
【背景技術】
【０００２】
従来から、コピー機やプリンターなどの電子機器に障害が発生した場合に、エラー対処方法や復旧操作情報を通知する技術が知られている（例えば、特許文献１，２参照）。
このような技術によれば、通知を受けた者が、その通知情報にしたがった処置を行うことによって電子機器を適切に復旧させることができる。
【先行技術文献】
【特許文献】
【０００３】
【特許文献１】特開２００５−０６４７６２号公報
【特許文献２】特開２００３−０５１９１０号公報
【発明の概要】
【発明が解決しようとする課題】
【０００４】
しかしながら、従来の技術において、対象の電子機器において障害が発生した場合に通知される上述の情報の有用性は、高度な技術的知識を有する保守者にとって低いと考えられる。
一方、そのような情報の通知を受けた保守者は、通常、障害の内容に拘わらず、ユーザーのところに赴いて復旧処置を行う必要がある。
このため、障害が検知された場合は、単に障害情報を提供するのではなく、再起動等を行って電子機器を障害から自動的に復旧させる方が望ましい。
【０００５】
ところが、再起動を例にとってみても、プロセスを個別に再開する場合と全プロセスを再開する場合、メモリクリアを伴う場合とメモリデータが保持される場合、電源をＯＦＦ→ＯＮして再開する場合等、様々な手法があり、これらを、様々な要因にもとづき発生する各障害に対する復旧手法として一律に紐付けることは困難である。
すなわち、電子機器における障害の復旧処理は、その電子機器に精通し、かつ、ユーザーにおける電子機器の設置環境や使用態様等を把握した保守者が、障害内容及び係るユーザー事情等を総合的に検証したうえで最良の手法を選択すべきであり、単に、障害の内容だけを捉えて一様な手法で復旧処理を行うと、必要以上に時間を要したり、必要なデータが消去される等の支障を生ずる場合がある。
したがって、電子機器の障害に対し、保守者の判断にもとづく柔軟で適切な復旧処理が可能であって、保守者にとって利便性の高い電子機器の管理システムが求められていた。
【０００６】
本発明は、上記の事情に鑑みてなされたものであり、管理対象の電子機器について障害が発生した場合に、障害内容その他の判断要素にもとづく保守者の判断によって選択した任意の手法にもとづき電子機器を復旧させることが可能であり、また、係る復旧処理を遠隔から操作することが可能な電子機器管理システム、管理サーバー、及び、エラー復旧方法の提供を目的とする。
【課題を解決するための手段】
【０００７】
上記目的を達成するため本発明の電子機器管理システムは、対象の電子機器及び当該電子機器の保守者端末が管理サーバーと通信可能に接続された電子機器管理システムであって、保守者端末は、電子機器における障害の内容が示されたエラーコードを受信した後において、復旧処理の種別ごとに割り当てられた対処コードのうち、任意に入力された対処コードを管理サーバーに送信する対処コード送信手段を備え、管理サーバーは、対処コードと当該対処コードに係る復旧処理を命令するための障害パラメータとを対応付けて保存する対処コード保存手段と、保守者端末から受信した対処コードに対応した障害パラメータを、障害が検知された電子機器に送信する障害パラメータ送信手段と、を備え、電子機器は、管理サーバーから受信した障害パラメータにもとづいて障害の復旧処理を行う自動復旧手段を備えるようにしている。
【０００８】
また、本発明の管理サーバーは、対象の電子機器及び当該電子機器の保守者端末と通信可能に接続された管理サーバーであって、復旧処理の種別ごとに割り当てた対処コードと当該対処コードに係る復旧処理を命令するための障害パラメータとを対応付けて保存する対処コード保存手段と、電子機器における障害の内容が示されたエラーコードを保守者端末が受信した後において、保守者端末から受信した対処コードに対応した障害パラメータを障害が検知された電子機器に送信して、当該電子機器における障害を復旧させる障害パラメータ送信手段と、を備えるようにしている。
【０００９】
また、本発明のエラー復旧方法は、対象の電子機器及び当該電子機器の保守者端末が管理サーバーと通信可能に接続された場合における前記電子機器のエラー復旧方法であって、保守者端末が、電子機器における障害の内容が示されたエラーコードを受信した後において、復旧処理の種別ごとに割り当てられた対処コードのうち、任意に入力された対処コードを管理サーバーに送信する対処コード送信工程と、管理サーバーが、保守者端末から受信した対処コードに対応した障害パラメータを、障害が検知された電子機器に送信する障害パラメータ送信工程と、少なくとも、障害パラメータ送信工程の前に、管理サーバーが、対処コードと当該対処コードに係る復旧処理を命令するための障害パラメータとを対応付けて保存する対処コード保存工程と、電子機器が、管理サーバーから受信した障害パラメータにもとづいて障害の復旧処理を行う自動復旧工程と、を有するようにしている。
【発明の効果】
【００１０】
本発明によれば、障害の復旧に際し、保守者の判断にもとづく柔軟で円滑な対応が可能であり、利便性に優れた電子機器の管理技術を提供することができる。
【図面の簡単な説明】
【００１１】
【図１】本発明の実施形態に係る電子機器管理システムの概略構成図である。
【図２】管理サーバーの概略構成図である。
【図３】管理サーバーの機能ブロック図である。
【図４】電子機器の概略構成図である。
【図５】電子機器の機能ブロック図である。
【図６】保守者端末の概略構成図である。
【図７】保守者端末の機能ブロック図である。
【図８】対処コードと障害パラメータとの対応付けを示す図である。
【図９】エラーコードを説明するための図である。
【図１０】本発明の実施形態に係るエラー復旧方法を示すシーケンス図である。
【発明を実施するための形態】
【００１２】
図１は、本発明の実施形態に係る電子機器管理システムの概略構成図である。
図１に示すように、本実施形態の電子機器管理システム１は、電子機器３と、電子機器を管理する管理サーバー２と、電子機器３の保守者が有する保守者端末４とを備える。
電子機器３と管理サーバー２、及び、管理サーバー２と保守者端末４は、それぞれインターネット、移動体通信網その他の公衆回線や専用回線等の電気通信回線を介して通信可能に接続される。
【００１３】
このような電子機器管理システム１では、管理対象の電子機器３が、障害の発生を自ら検知してその障害内容を示すエラーコードを管理サーバー２に送信し、管理サーバー２は、電子機器３から受信したエラーコードを保守者端末４に送信するようにしている。
このため、保守者は、自身が所有する保守者端末４を介して対象の電子機器３で障害が発生したことやその障害内容を迅速に知ることができる。
また、保守者端末４は、保守者が任意に入力した対処コードを管理サーバー２に送信し、管理サーバー２は、受信した対処コードに対応した障害パラメータを対象の電子機器３に送信し、電子機器４は、受信した障害パラメータにもとづく復旧処理を行うようにしている。
このため、保守者が、障害内容を含め総合的に適切と判断した復旧手法にもとづいて、電子機器３を遠隔操作を介し自動的に復旧させることができる。
【００１４】
以下、本実施形態の電子機器管理システム１の主たる構成要素である、管理サーバー２、電子機器３、及び、保守者端末４について、それぞれ説明する。
なお、図１に示すように、電子機器３としては、プリンター、コピー機等の画像形成装置を例示することができるが、このような機器に限るものではなく、パーソナルコンピュータ等の情報処理装置や家電機器等、電子機器一般に適用することができる。
また、図１に示すように、保守者端末４としては、携帯通信端末を例示することができるが、例えば、移動を伴わない据え置きタイプの情報処理装置であってもよい。
【００１５】
図２は、管理サーバーの概略構成図である。
図２に示すように、本実施形態の管理サーバー２は、キーボードやマウス等の入力デバイスと接続された操作部２１、液晶モニター等の表示デバイスと接続された表示部２２、電子機器３及び保守者端末４とインターネット、電気通信回線を介して必要な情報の送受信を行う通信部２３、各種プログラムやデータを保存するＨＤＤ等からなる保存部２４、及び、ＣＰＵ、ＲＯＭ、ＲＡＭを備え各構成部の制御を行う制御部２０を備えた情報処理装置である。
図３は、管理サーバーの機能ブロック図である。
図３に示すように、管理サーバー２は、制御部２０が、保守者宛先保存手段２０１、エラーコード転送手段２０２、対処コード保存手段２０３、及び、障害パラメータ送信手段２０４を備える。
【００１６】
保守者宛先保存手段２０１は、電子機器３の識別情報と当該電子機器３の保守者が有する保守者端末４の宛先を電子機器３ごとに紐付けたテーブルを保存する。
電子機器３の識別情報としては、製造番号を例示することができ、また、保守者端末４の宛先としては、メールアドレスを例示することができる。
エラーコード転送手段２０２は、障害が発生した電子機器３から受信した当該電子機器３の識別情報にもとづき、当該識別情報に紐付けられた宛先の保守者端末４に、その識別情報とともに受信したエラーコードを送信する。具体的には、保守者端末４のメールアドレス宛に、障害の種別や障害発生時のプロセスなどの障害の詳細な内容を示すエラーコードをメールにて送信する。
このようにすると、電子機器３の保守者に対し、その電子機器４において障害が発生したこと及びその障害内容を迅速に知らせることができる。
なお、後記「障害パラメータ送信手段２０４」の実行のため、管理サーバー２が提供する対処コードの入力ページのアクセス先であって、障害を検知した電子機器３の宛先を付加情報に含むＵＲＬを、前記メールにリンク可能に貼り付けて送信する。
【００１７】
対処コード保存手段２０３は、復旧処理の種別ごとに割り当てた対処コードと当該対処コードに係る復旧処理を命令する情報であって電子機器３が解釈可能な障害パラメータとを対応付けて保存する。具体的には、図８に示すようなテーブルをデータベースとして保存部２４において保存する。
図８は、対処コードと障害パラメータとを対応付けたテーブルを示す図である。
図８に示すように、対処コードには、複数の障害パラメータ（１〜ｘ）を対応付けて設定することができ、例えば、本実施形態のように、障害パラメータ１と障害パラメータ２を設定することができる。
【００１８】
ここで、障害パラメータ１は、「１」が、再起動の実行を命令するパラメータであり、「１」以外（例えば「２」）は、再起動以外の種別の復旧処理を命令するパラメータである。
また、障害パラメータ１が「１」の場合の障害パラメータ２は、再起動の具体的な手法に対応して「１」〜「４」が設定される。
「１」は、プロセス個別再開を示すパラメータであり、「２」は、全プロセス再開を示すパラメータであり、「３」は、メモリクリア再開を示すパラメータであり、「４」は、電源ＯＦＦ／ＯＮを示すパラメータである。
【００１９】
このため、対処コード「00011」には、プロセス個別再開により再起動を行うための障害パラメータ１，２の組み合わせ「１１」、対処コード「00012」には、メモリデータを保持しつつ全プロセスを再開(メモリ救済)させて再起動を行うための障害パラメータ１，２の組み合わせ「１２」、対処コード「00013」には、メモリデータを保持しないメモリクリア再開（メモリ非救済）によって再起動を行うための障害パラメータ１，２の組み合わせ「１３」、対処コード「00014」には、電源ＯＦＦ／ＯＮによって再起動を行うための障害パラメータ１，２の組み合わせ「１４」が、それぞれ対応付けられる。
【００２０】
障害パラメータ送信手段２０４は、保守者端末４から受信した対処コードに対応した障害パラメータを、障害が検知された電子機器３に送信する。
具体的には、保守者端末４において表示される対処コードの入力ページから入力された対処コードを受信し、この対処コードに対応した障害パラメータが取り出され、その入力ページのＵＲＬに含まれる宛先の電子機器３に送信される。
例えば、保守者により保守者端末４に対処コード「00011」が入力され、これを保守者端末４から受信した場合には、対処コード「00011」に対応付けられた障害パラメータ「１１」を取り出し、電子機器３に送信する。
【００２１】
なお、電子機器４は、管理サーバー２から受信した障害パラメータを解釈して、対応する復旧処理を実施する。
例えば、障害パラメータ「１１」を受信した電子機器３は、自らプロセス個別再開を行うことによって障害を復旧させることができる。
【００２２】
図４は、電子機器の概略構成図である。
以下、電子機器４の一例であるプリンターの概略構成について説明する。
電子機器３は、図４に示すように、タッチパネルやテンキーからなる操作部３１、液晶パネルからなる表示部３２、管理サーバー２と電気通信回線を介して必要な情報の送受信を行う通信部３３、各種プログラムやデータを保存するＨＤＤ等からなる保存部３４、印刷エンジンを有し、対象の画像データについて印刷処理を行う出力部３５、及び、ＣＰＵ、ＲＯＭ、ＲＡＭを備え各構成部の制御を行う制御部３０を備える。
【００２３】
図５は、電子機器の機能ブロック図である。
図５に示すように、電子機器３は、制御部３０が、障害検知手段３０１、エラーコード送信手段３０２、自動復旧手段３０３、及び、ログ保存手段３０４を備える。
障害検知手段３０１は、その電子機器３における障害を検知する。
エラーコード送信手段３０２は、検知した障害の内容を示すエラーコードと、その電子機器の識別情報を管理サーバー２に送信する。
例えば、プリント用紙のＪＡＭ（紙詰まり）やメモリフルの状態を検知すると、その障害の種別や障害の詳細が識別できるコードを、その電子機器３の製造番号とともに管理サーバー２に送信する。
なお、管理サーバー２では、電子機器３の識別番号にもとづきその電子機器３の宛先を特定し、特定した宛先の保守者端末４にエラーコードを転送することで、保守者に障害情報を通知する（前述したエラーコード転送手段２０２参照）。
【００２４】
自動復旧手段３０３は、管理サーバー２から受信した障害パラメータにもとづいて障害の復旧処理を行う。
具体的には、図８と同様の対応付けを保存部３４に保存しておき、受信した「障害パラメータ」に対応した「障害復旧措置」を行う。
例えば、障害パラメータ「１１」を受信した場合には、「プロセス個別再開」による「再起動」を行う。
同様に、障害パラメータ「１２」を受信した場合には、「全プロセス再開」による「再起動」を行い、障害パラメータ「１３」を受信した場合には、「メモリクリア再開」による「再起動」を行い、障害パラメータ「１４」を受信した場合には、「電源ＯＦＦ／ＯＮ」による「再起動」を行う。
【００２５】
ログ保存手段３０４は、受信した対処コードにもとづくログ情報を閲覧可能に保存する。
具体的には、受信した対処コードや対処コードにもとづいて行われる復旧処理の内容を復旧処理時又はその前後において表示することができる。
このため、ユーザーは、復旧処理がこれから実行されていることや既に実行中であるだけでなく、その復旧処理の具体的な内容を知ることができ、また、これらの情報を事後的に知ることができる。
【００２６】
図６は、保守者端末の概略構成図である。
以下、保守者端末４の一例として、保守者が携行する携帯通信端末の概略構成について説明する。
保守者端末４は、図６に示すように、テンキー及び操作キーからなる操作部４１、表示パネルからなる表示部４２、管理サーバー２と電気通信回線（移動体通信網）を介して必要な情報の送受信を行う通信部４３、各種プログラムやデータを保存する保存部４４、通話中、保守者が発した音声を入力し、相手が発した音声を出力する送受話部４５、及び、ＣＰＵ、ＲＯＭ、ＲＡＭを備え各構成部の制御を行う制御部４０を備える。
【００２７】
図７は、保守者端末の機能ブロック図である。
図７に示すように、保守者端末４は、エラーコード表示手段４０１、及び、対処コード送信手段４０２を備える。
エラーコード表示手段４０１は、管理サーバー２から受信したエラーコードを表示する。
エラーコードは、障害の具体的な内容をコード化した情報であるため、エラーコードを見た保守者は、電子機器３においてどのような障害が発生したのかを知ることができる。
例えば、図９に示すように、エラーコード「00001」を受信し、表示した場合、対象の電子機器３においてＪＡＭが発生したことを知ることができる。また、エラーコードには、その障害時におけるプロセス（不図示）も含むため、障害に関連するプロセスとして参酌することもできる。
また、保守者端末４において、図９のテーブルを保存部４４に保存しておき、エラーコードに代えて、又は、加えて、対応する「エラー詳細」を表示することもできる。
【００２８】
対処コード送信手段４０２は、復旧処理の種別ごとに割り当てられた対処コードのうち、任意に入力した対処コードを管理サーバー２に送信する。
具体的には、管理サーバー２から受信したエラーコードのメールにリンクされたＵＲＬを選択すると表示される対処コードの入力ページにおいて、保守者が任意に対処コードをダイヤルプッシュして入力すると、入力された対処コードが管理サーバー２に送信される。
なお、管理サーバー２では、受信した対処コードに対応した障害パラメータを電子機器３に送信することで、電子機器３において復旧処理が行われる（前述した自動復旧手段３０３参照）。
【００２９】
以上のように、本実施形態に係る電子機器管理システム１の特徴的な構成によれば、電子機器３が、その電子機器３における障害を検知すると、検知した障害の内容を示すエラーコードとその電子機器の識別情報を管理サーバー２に送信し、管理サーバー２が、電子機器３から受信した当該電子機器３の識別情報にもとづき、当該識別情報に紐付けられた宛先の保守者端末４に、その識別情報とともに受信したエラーコードを送信し、保守者端末４が、管理サーバー２から受信したエラーコードを表示する。
その後、保守者端末４は、復旧処理の種別ごとに割り当てられた対処コードのうち、保守者の判断によって入力された対処コードを管理サーバー２に送信し、管理サーバー２が、保守者端末４から受信した対処コードに対応した障害パラメータを障害が発生している電子機器３に送信し、電子機器３は、管理サーバー２から受信した障害パラメータにもとづいて障害の復旧処理を自動的に行うようにしている。
【００３０】
このため、電子機器３の保守者は、自身が所有する保守者端末４を介して、その電子機器３において障害が発生したことだけでなく、その障害の種別や障害に関連するプロセス等の詳細な障害内容を、即座に確認することができる。
そして、保守者は、このような障害情報、ユーザー環境その他必要な判断要素を含めた総合的な判断にもとづいて、その電子機器３にとって最適と考えられる復旧処理方法によって電子機器３を適切かつ円滑に復旧させることができる。
例えば、Ａという機能を電子機器３において動作させた場合、潜在バグによってＸプロセスでプロセスダウンが発生したケースについては、電源のＯＦＦ／ＯＮを行うことでＸプロセスは回復する。しかし、この結果、一時的な保存データは削除されると保守者が判断すれば、電源ＯＦＦ／ＯＮを選択せずに、Ｘプロセスのみ個別に再開させるようにすることができる。
【００３１】
また、電子機器３における障害の発生及びその電子機器３の復旧処理は、保守者の所在場所を問わず確認し、操作することができる。
このため、本発明の実施形態によれば、保守者の判断にもとづく柔軟で円滑な対応が可能でありながらも、利便性に優れた電子機器３の管理システムを提供することができる。
また、本実施形態の電子機器管理システム１は、主に管理サーバー２が、電子機器３と保守者端末４の間のデータ通信を仲介して必要な制御を行うようにしている。
このため、本発明の実施形態に係る管理サーバー２によれば、電子機器３や保守者端末４に特段の改造や機能付加を施すことなく、上述した電子機器３の管理システムを構成することができる。
【００３２】
次に、本発明の実施形態に係るエラー復旧方法について説明する。
図１０は、本発明の実施形態に係るエラー復旧方法を示すシーケンス図である。
なお、管理サーバー２において、電子機器３の識別情報と電子機器３の保守者の保守者端末４の宛先とを対応付けたテーブル、及び、対処コードと障害パラメータとを対応付けたテーブルは、予め保存部２４に保存されているものとする。
【００３３】
図１０に示すように、まず、管理対象の電子機器３において何らかの障害が発生したものとする（Ｓ１）。
電子機器３は、障害検知手段３０１が、障害を検知すると、エラーコード送信手段３０２がその障害内容を示すエラーコードとその電子機器３の識別情報を管理サーバー２に送信する（Ｓ２）。
管理サーバー２は、エラーコードを受信すると、エラーコードとともに受信した電子機器３の識別情報からその電子機器３の保守者の保守者端末４の宛先を特定し（Ｓ３）、エラーコード転送手段２０２が、特定した宛先に向けてエラーコードを送信する（Ｓ４）。
保守者端末４は、エラーコード表示手段４０１が、受信したエラーコードを表示する。
このようにすると、保守者は、エラーコードにもとづく障害の内容を迅速に知ることができるため、これにユーザー事情等を加えた総合的な判断にもとづき、その電子機器３における障害の復旧のために最適な復旧処理を自ら決定する。
【００３４】
上記工程を経て、保守者は、復旧種別に対応した対処コードを保守者端末４に入力する（Ｓ５）。
保守者端末４は、対処コード送信手段４０２が、入力された対処コードを管理サーバー２に送信する（Ｓ６）。
管理サーバー２は、対処コードを受信すると、データベース（図８参照）において、対処コードを検索キーとして対応する障害パラメータを検索する（Ｓ７）。
管理サーバー２は、障害パラメータ送信手段２０４が、検出した障害パラメータと対処コードを電子機器３に送信する（Ｓ８）。
電子機器３は、対処コードと障害パラメータを受信すると、その障害パラメータにもとづく復旧処理を行い、これにより、電子機器３における障害は復旧する（Ｓ９）。
なお、対処コードは、ログ情報として閲覧可能に保存される。
【００３５】
以上のように、本実施形態に係るエラー復旧方法においては、保守者端末４が、電子機器３における障害の内容が示されたエラーコードを受信した後において、復旧処理の種別ごとに割り当てられた対処コードのうち、入力された対処コードを管理サーバー２に送信する対処コード送信工程と、管理サーバー２が、保守者端末４から受信した対処コードに対応した障害パラメータを、前記障害が検知された電子機器３に送信する障害パラメータ送信工程と、少なくとも、前記障害パラメータ送信工程の前に、管理サーバー２が、前記対処コードと当該対処コードに係る復旧処理を命令するための障害パラメータとを対応付けて保存する対処コード保存工程と、電子機器３が、管理サーバー２から受信した障害パラメータにもとづいて障害の復旧処理を行う自動復旧工程と、を有するようにしている。
このため、上述したエラー復旧方法によっても、上述の電子機器管理システム１と同様の作用効果を奏することができる。
したがって、電子機器管理システム１のような構成に限らず、様々な態様にて本発明を実施することができる。
【００３６】
以上、本発明について、実施形態を示して説明したが、本発明は、上述した実施形態にのみ限定されるものではなく、種々の変更が可能であることは言うまでもない。
例えば、図１に示すように、管理サーバー２から電子機器３に対しては、対処コードと障害パラメータの双方が送信される構成となっているが、対処コードが障害パラメータを含む構成としてもよい。
例えば、図８の対処コード「00011」等に示すように、対処コードの一部（下２桁）を障害パラメータとすることができる。
このようにすると、保守者端末４は、対処コードと障害パラメータの双方を管理サーバー２に送信する必要はなく、対処コードだけで足りるため、管理サーバー２及び電子機器３における処理の負荷を軽減することができる。
【産業上の利用可能性】
【００３７】
本発明は、電子機器と保守者端末とを備えた電子機器の管理システムにおいて適用することができる。
【符号の説明】
【００３８】
１  電子機器管理システム
２  管理サーバー
２０１  保守者宛先保存手段
２０２  エラーコード転送手段
２０３  対処コード保存手段
２０４  障害パラメータ送信手段
３  電子機器
３０１  障害検知手段
３０２  エラーコード送信手段
３０３  自動復旧手段
３０４  ログ保存手段
４  保守者端末
４０１  エラーコード表示手段
４０２  対処コード送信手段
【図１】
2014081794.tif 000003
【図２】
2014081794.tif 000004
【図３】
2014081794.tif 000005
【図４】
2014081794.tif 000006
【図５】
2014081794.tif 000007
【図６】
2014081794.tif 000008
【図７】
2014081794.tif 000009
【図８】
2014081794.tif 000010
【図９】
2014081794.tif 000011
【図１０】
2014081794.tif 000012